(57)【要約】【課題】ＡＣ放電ランプの２つの電極の摩耗の偏りを検出することにより、２つの電極の摩耗を安定に均一化させることが可能な光源装置を提供する。【解決手段】光源装置は、２つの電極１１８、１２０を有するＡＣ放電ランプ１１２と、ＡＣ放電ランプを駆動するバラスト回路１７２と、ＡＣ放電ランプから出射する光量を検出する光センサ１７４と、を備え、バラスト回路は、光センサからの検出結果に基づいて、２つの電極の摩耗状態を推定し、摩耗が大きいと推定された電極が陽極側になるタイミングの時間または電流が小さくなるように、ＡＣ放電ランプを駆動する。【選択図】  図４
2015053155.tif 000002
【特許請求の範囲】
【請求項１】
少なくとも２つの電極を有するＡＣ放電ランプと、
前記ＡＣ放電ランプを駆動するランプ駆動部と、
前記ＡＣ放電ランプから出射する光量を検出する光検出部と、
を備え、
前記ランプ駆動部は、前記光検出部からの検出結果に基づいて、前記２つの電極のうち一方の電極が陽極側になるタイミングの時間または電流が他方の電極が陽極側になるときよりも小さくなるように、ＡＣ放電ランプを駆動することを特徴とする光源装置。
【請求項２】
請求項１記載の光源装置において、
前記ランプ駆動部は、前記光検出部からの検出結果に基づいて、前記２つの電極の摩耗状態を推定し、前記２つの電極のうち摩耗が大きいと推定された電極を前記一方の電極として前記ＡＣ放電ランプを駆動することを特徴とする光源装置。
【請求項３】
請求項１または２記載の光源装置において、
前記ランプ駆動部に接続された記憶部をさらに備え、
前記記憶部は、前記ＡＣ放電ランプの駆動履歴および前記光検出部からの検出結果を記憶することを特徴とする光源装置。
【請求項４】
光源部と、映像入力信号に応じて映像光を生成する映像生成部と、前記光源部からの光を前記映像生成部へ導く導光光学系と、前記映像生成部にて生成された前記映像光を投写する投写光学系と、を備える投写型映像表示装置において、
前記光源部は、
少なくとも２つの電極を有するＡＣ放電ランプと、
前記ＡＣ放電ランプを駆動するランプ駆動部と、
前記ＡＣ放電ランプから出射する光量を検出する光検出部と、
を備え、
前記ランプ駆動部は、前記光検出部からの検出結果に基づいて、前記２つの電極のうち一方の電極が陽極側になるタイミングの時間または電流が他方の電極が陽極側になるときよりも小さくなるように、前記ＡＣ放電ランプを駆動することを特徴とする投写型映像表示装置。
【発明の詳細な説明】
【技術分野】
【０００１】
本開示は、ＡＣ放電ランプを有する光源装置に関し、特に、ＡＣ放電ランプの長寿命化を図った光源装置およびこれを用いる投写型映像表示装置に関する。
【背景技術】
【０００２】
従来、プロジェクタに利用する光源の寿命を長くするために、ＡＣ放電ランプの駆動装置により、ＡＣ放電ランプの２つの電極の摩耗を均一化する制御が行なわれている。例えば、ＡＣ放電ランプに流す電流は一定周期の交流を維持し、電流が流れる方向に従って、その絶対値の比率を周期的に変動させる。これにより、２つの電極の摩耗を均一化することができる（例えば、特許文献１）。
【先行技術文献】
【特許文献】
【０００３】
【特許文献１】特開２００９−１９９７３９号公報
【発明の概要】
【発明が解決しようとする課題】
【０００４】
しかしながら、予め定められた制御に従う場合、外的な要因で２つの電極の摩耗状態に大きな偏りを生じる虞がある。
【０００５】
本開示は、上述した課題を解決するためのものであり、ＡＣ放電ランプの２つの電極の摩耗の偏りを検出することにより、２つの電極の摩耗を安定に均一化させることが可能な光源装置を提供することを目的とする。また、この光源装置を搭載することにより、ランプ光源の長寿命化を実現した投写型映像表示装置を提供することを目的とする。
【課題を解決するための手段】
【０００６】
本開示に係る光源装置（例えば、光源部１１０）は、少なくとも２つの電極（例えば、電極１１８、１２０）を有するＡＣ放電ランプ（例えば、ＡＣ放電ランプ１１２）と、前記ＡＣ放電ランプを駆動するランプ駆動部（例えば、バラスト回路１７２）と、前記ＡＣ放電ランプから出射する光量を検出する光検出部（例えば、光センサ１７４）と、を備えるものである。この光源装置において、前記ランプ駆動部は、前記光検出部からの検出結果に基づいて、前記２つの電極のうち一方の電極が陽極側になるタイミングの時間または電流が他方の電極が陽極側になるときよりも小さくなるように、前記ＡＣ放電ランプを駆動することを要旨とする。
【０００７】
上記の光源装置において、前記ランプ駆動部は、前記光検出部からの検出結果に基づいて、前記２つの電極の摩耗状態を推定し、前記２つの電極のうち摩耗が大きいと推定された電極を前記一方の電極として前記ＡＣ放電ランプを駆動するとよい。
【０００８】
この光源装置によれば、ＡＣ放電ランプの２つの電極の摩耗の偏りによる光量の変化を検出し、２つの電極の摩耗を均一化させるようにＡＣ放電ランプを駆動することができる。
【０００９】
上記の光源装置において、前記ランプ駆動部に接続された記憶部（例えば、メモリ２７６）をさらに備え、前記記憶部は、前記ＡＣ放電ランプの駆動履歴および前記光検出部からの検出結果を記憶するとよい。これによれば、２つの電極２１８、２２０の摩耗状態の均一化をさらに安定的に実現できる。
【００１０】
本開示に係る投写型映像表示装置（例えば、投写型映像表示装置１００）は、光源部（例えば、光源部１１０）と、映像入力信号に応じて映像光を生成する映像生成部（例えば、映像生成部２０）と、前記光源部からの光を前記映像生成部へ導く導光光学系（例えば、導光光学系５０）と、前記映像生成部にて生成された前記映像光を投写する投写光学系（例えば、投写光学系６０）と、を備えるものである。この投写型映像表示装置において、前記光源部は、少なくとも２つの電極（例えば、電極１１８、１２０）を有するＡＣ放電ランプ（例えば、ＡＣ放電ランプ１１２）と、前記ＡＣ放電ランプを駆動するランプ駆動部（例えば、バラスト回路１７２）と、前記ＡＣ放電ランプから出射する光量を検出する光検出部（例えば、光センサ１７４）と、を備える。そして、前記ランプ駆動部は、前記光検出部からの検出結果に基づいて、前記２つの電極のうち一方の電極が陽極側になるタイミングの時間または電流が他方の電極が陽極側になるときよりも小さくなるように、前記ＡＣ放電ランプを駆動することを要旨とする。
【００１１】
本開示によれば、ＡＣ放電ランプの２つの電極の摩耗の偏りを均一化させることができ、ランプ光源の長寿命化、延いては、投写型映像表示装置の長寿命化を実現できる。
【発明の効果】
【００１２】
本開示によれば、ＡＣ放電ランプの２つの電極の摩耗を安定に均一化させることができる。また、このＡＣ放電ランプを用いることにより、投写型映像表示装置の長寿命化を実現できる。
【図面の簡単な説明】
【００１３】
【図１】本開示に係る投写型映像表示装置の外観斜視図である。
【図２】本開示に係る投写型映像表示装置の構成を示すブロック図である。
【図３】本開示に係る投写型映像表示装置の光学構成を説明する模式図である。
【図４】本開示に係る光源部の構成の一例を説明する模式図である。
【図５】本開示に係るＡＣ放電ランプへの印加電流と光センサの出力信号の関係を示す模式図である。
【図６】本開示に係るＡＣ放電ランプへ印加する電流の補正波形の一例を示す模式図である。
【図７】本開示に係るＡＣ放電ランプへ印加する電流の補正波形の他の例を示す模式図である。
【図８】本開示に係る光源部の構成の他の例を説明する模式図である。
【図９】本開示に係る光源部の構成のさらに他の例を説明する模式図である。
【図１０】本開示に係る複数のＡＣ放電ランプへの印加電流と光センサの出力信号の関係を示す模式図である。
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、出願人は、当業者が本開示を十分に理解するために添付図面および以下の説明を提供するのであって、これらによって特許請求の範囲に記載の主題を限定することを意図するものではない。
（投写型映像表示装置の構成）
投写型映像表示装置１００の構成について図１および図２を用いて説明する。図１は、投写型映像表示装置１００の外観斜視図である。図１に示すように、投写型映像表示装置１００は、映像入力信号に応じて生成した映像光をスクリーン５００へ投写する。
【００１６】
図２は、投写型映像表示装置１００の構成を示すブロック図である。投写型映像表示装置１００は、光源部１０と、映像入力信号に応じて映像光を生成する映像生成部２０と、光源部１０からの光を映像生成部２０へ導く導光光学系５０と、生成された映像光をスクリーン５００へ投写する投写光学系６０と、光源部１０や映像生成部２０などの制御を行う制御部７０とを有する。
（投写型映像表示装置の光学構成）
投写型映像表示装置１００の光学構成について図３を用いて説明する。図３は、投写型映像表示装置１００の光学構成を示す模式図である。
【００１７】
光源部１０から出射した白色光は、ロッド５２の入射面近傍で集光する。ロッド５２に入射した光は、ロッド内部で複数回反射することによって、光強度分布が実質的に均一化されて出射する。ロッド５２から出射した光は、レンズ５４によって集光される。レンズ５４は、ロッド５２の出射面の像を後述するＤＭＤに結像させるリレー系のレンズである。ミラー５６反射した後、レンズ２２を介して全反射プリズム２４に入射する。レンズ２２は、入射した光を略平行に集光するレンズである。
【００１８】
全反射プリズム２４は２つのプリズムから構成され、互いのプリズムの近接面には薄い空気層２６が介在している。空気層２６は臨界角以上の角度で入射する光を全反射する。レンズ２２を介して、全反射プリズム２４に入射した光は、全反射面で反射されて、カラープリズム２８に入射する。
【００１９】
カラープリズム２８は３つのプリズムからなり、それぞれのプリズムの近接面には、青反射のダイクロイック膜３０と赤反射のダイクロイック膜３２が形成されている。カラープリズム２８に入射した光は、青反射のダイクロイック膜３０と赤反射のダイクロイック膜３２とによって、青、赤、緑の色光に分離され、それぞれＤＭＤ３４、３６、３８に入射する。ＤＭＤ３４、３６、３８は、映像入力信号に応じて、投写光学系６０を構成する投写レンズに入射する光と、投写レンズの有効外へ進む光とにマイクロミラーを偏向させて分離する。
【００２０】
ＤＭＤ３４、３６、３８によって反射された光は、再度、カラープリズム２８を透過する。カラープリズム２８を透過する過程で、分離された青、赤、緑の各色光は合成され、全反射プリズム２４に入射する。全反射プリズム２４に入射した光は空気層２６に臨界角以下で入射するため、透過して、投写光学系６０に入射する。このようにして、ＤＭＤ３４、３６、３８によって形成された映像光が、スクリーン上に投写される。
【００２１】
映像生成部２０にはＤＭＤ３４、３６、３８を用いているため、液晶パネルに比べて、耐光性、耐熱性が高い投写型映像表示装置１００が構成できる。さらに、３つＤＭＤを用いているため、色再現が良好で、明るく高精細な投写映像を得ることができる。
〔第１実施形態〕
（光源部の構成）
第１実施形態に係る光源部１１０の構成について図４を用いて説明する。図４は、ＡＣ放電ランプ１１２およびＡＣ放電ランプ１１２を駆動するバラスト回路１７２の構成を説明する模式図である。
【００２２】
ＡＣ放電ランプ１１２は、放電管１１４とリフレクタ１１６などから構成される。放電管１１４から出射した光は、リフレクタ１１６によって反射されると共に、ロッド５２の入射面近傍で集光し、ロッド５２に入射する。
【００２３】
放電管１１４に電流を流したとき、陽極側の電極（例えば、電極１１８）近傍にはアークスポット（例えば、アークスポット１１８Ａ）が発生し、その領域から強い光が出射する。放電管１１４に印加する電流は、極性を周期的に反転させているため、アークスポットは、放電管１１４内の２つの電極１１８、１２０近傍に２つ（アークスポット１１８Ａ、１２０Ａ）発生する。リフレクタ１１６と放電管１１４との位置関係は、２つのアークスポット１１８Ａ、１２０Ａからの光が、ロッド５２に均等に入射し、ロッド５２からの出射光が最大となるように調整される。
【００２４】
ロッド５２の入射面から入射した光は、入射面に対向する位置に設けられた出射面から出射する。本実施の形態では、ロッド５２の出射面側に、入射した光のうちの２％を反射するハーフミラー１５０を配置する。加えて、ハーフミラー１５０の反射側に、光センサ１７４を配置する。ハーフミラー１５０によって反射された光は、光センサ１７４に入射する。光センサ１７４は、ＡＣ放電ランプ１１２から出射される光量を検出することができる。
【００２５】
光センサ１７４による検出結果（出力信号）はバラスト回路１７２に入力される。バラスト回路１７２は、ＡＣ放電ランプ１１２に印加する電流の方向と、その電流方向における光センサ１７４の出力値との関係を演算する。バラスト回路１７２は、演算された関係に基づいて、ＡＣ放電ランプ１１２に印加する電流の極性の比率を調整する。具体的には、正の方向の電流値および負の方向の電流値の比率を調整する。あるいは、正の方向の期間および負の方向の期間の比率を調整する。
（ランプ駆動部の動作）
以上のように構成された光源部１１０の動作について、図５〜図７を用いて説明する。図５は、放電管１１４内の一方の電極１１８が摩耗している場合の、ＡＣ放電ランプ１１２への印加電流と光センサ１７４の出力信号との関係を示す模式図である。
【００２６】
例えば、投写型映像表示装置１００をポートレート投写（投写映像が縦長となるように設置）するなど、何らかの原因により、２つの電極１１８、１２０の摩耗の状態が不均一となる場合がある。このとき、２つのアークスポット１１８Ａ、１２０Ａの初期位置からの移動量が不均一となり、ロッド５２に入射する２つのアークスポット１１８Ａ、１２０Ａからの光量に差を生じてしまう。
【００２７】
図５においては、ＡＣ放電ランプ１１２に印加する電流が、負方向のときよりも正方向のときの方が、光センサ１７４の出力信号が大きくなっており、負方向のときの陽極側の電極１１８が摩耗していると推定される。バラスト回路１７２は、印加電流と光センサ１７４の出力信号との関係から、一方の電極１１８が摩耗していると推定された場合、演算された関係に基づいて、ＡＣ放電ランプ１１２へ印加する電流の波形を調整する。
【００２８】
１．制御例１
本実施形態におけるＡＣ放電ランプ１１２へ印加する電流の補正波形の一例を図６に示す。図６に示すように、負の方向のときの陽極側の電極１１８が摩耗しているのを考慮して、バラスト回路１７２は、負の方向の電流を小さく、正の方向の電流を大きくなるよう、電流波形を調整する。
【００２９】
これにより、電極の摩耗を均一化することができる。一方、この方法は、正の方向に電流を流したときと負の方向に電流を流したときとの輝度差を助長してしまう。したがって、短期的にこの状態を維持することにより、電極の摩耗状態の均一化を行うことが望ましい。また、所定時間が経過した後、元の状態（Ａ＝Ｂ）に戻して、電極の摩耗状態を確認する必要がある。
【００３０】
２．制御例２
本実施形態におけるＡＣ放電ランプ１１２へ印加する電流の補正波形の他の例を図７に示す。図７に示すように、負の方向のときの陽極側の電極１１８が摩耗しているのを考慮して、バラスト回路１７２は、負の方向の電流を流す時間を短く、正の方向の電流を流す時間が長くなるよう、電流波形を調整する。
【００３１】
具体的には、補正電流波形１では、電流を等間隔に７回正負反転する周期の中で、正方向の電流のときに２回、反転を停止している。また、補正電流波形２では、電流を等間隔に６回正負反転する周期の中で、正方向の電流のときに１回、反転を停止している。補正電流波形３では、正方向に電流を流す時間を、負方向に電流を流す時間の１．５倍に設定している。
【００３２】
これにより、正方向に電流を流す時間と負方向に電流を流す時間に偏りを持たせ、正の方向のときの陽極側となる電極１２０の摩耗速度が、摩耗していると推定された電極１１８の摩耗速度よりも早くなるように制御している。加えて、正方向および負方向の電流値が等しいので、補正電流波形を流している状態で、光センサ１７４の出力信号から電極の摩耗状態を推定することが可能である。
（作用・効果）
以上のように、本実施形態において、バラスト回路１７２は、光センサ１７４からの検出結果に基づいて、ＡＣ放電ランプ１１２を駆動している。具体的には、ＡＣ放電ランプ１１２は、２つの電極１１８、１２０を有しており、バラスト回路１７２は、光センサ１７４からの検出結果に基づいて、２つの電極１１８、１２０の摩耗状態を推定する。そして、バラスト回路１７２は、２つの電極１１８、１２０の摩耗状態が均一になるように、摩耗の大きい電極が陽極側になるタイミングの時間または電流値を、摩耗の小さい電極が陽極側になるときよりも小さくした補正電流波形をＡＣ放電ランプ１１２に印加して駆動する。
【００３３】
これにより、２つの電極１１８、１２０がほぼ均一に摩耗するので、一方の電極のみが早く摩耗してしまうことを抑制でき、ＡＣ放電ランプ１１２を、安定的に長寿命化することが可能になる。また、ＡＣ放電ランプ１１２を用いる投写型映像表示装置１００も長寿命化することが可能になる。
〔第２実施形態〕
（光源部の構成）
第２実施形態に係る光源部２１０の構成について図８を用いて説明する。図８は、ＡＣ放電ランプ２１２およびＡＣ放電ランプ２１２を駆動するバラスト回路２７２の構成を説明する模式図である。本実施形態では、主に、第１実施形態との相違点について説明する。
【００３４】
光センサ２７４からの出力信号はバラスト回路２７２に入力される。本実施形態では、バラスト回路２７２に接続されるメモリ２７６を備えている。メモリ２７６には、適宜設定された時間分の、ＡＣ放電ランプ２１２に印加した電流と光センサ２７４の出力値との関係が記憶されている。
【００３５】
バラスト回路２７２は、ＡＣ放電ランプ２１２に対して補正電流波形を投入したときに、メモリ２７６に記憶されたデータに基づいて、光センサ２７４からの出力信号が想定通りに推移するか否かを監視する。バラスト回路２７２は、ＡＣ放電ランプ２１２に印加した電流と光センサ２７４の出力値との関係が、想定の範囲内であれば、電極２１８、２２０の摩耗状態が均一化できていると判断し、範囲外であれば、ＡＣ放電ランプ２１２に印加する電流の極性の比率を逆転する。逆転した場合、所定時間が経過した後、再度、電極の摩耗状態を確認する必要がある。
（作用・効果）
以上のように、本実施形態では、バラスト回路２７２に接続されたメモリ２７６をさらに備え、メモリ２７６は、ＡＣ放電ランプ２１２の駆動履歴および光センサ２７４からの検出結果を記憶する。したがって、光センサ２７４からの検出結果に基づいて推定された２つの電極２１８、２２０の摩耗状態の判断が誤っていた場合でも、その誤りを検出し、補正することができる。
【００３６】
これにより、２つの電極２１８、２２０の摩耗状態の均一化をさらに安定的に実現できる。
〔第３実施形態〕
（光源部の構成）
第３実施形態に係る光源部３１０の構成について図９を用いて説明する。図９は、ＡＣ放電ランプ３１２、３２２およびＡＣ放電ランプ３１２、３２２を駆動するバラスト回路３７２、３７８の構成を説明する模式図である。本実施形態では、主に、第１実施形態との相違点について説明する。
【００３７】
本実施形態では、２つのＡＣ放電ランプ３１２、３２２を備えている。２つのＡＣ放電ランプ３１２、３２２の放電管３１４、３２４から出射した光は、それぞれのリフレクタ３１６、３２６もよって反射されると共に、光合成プリズム３５２の入射面近傍で集光する。光合成プリズム３５２は、２つの直角プリズムからなり、対向する２方向からの光を内部で反射して、１つのロッド５２に入射させる機能を有する。
【００３８】
光センサ３７４からの出力信号はバラスト回路３７２、３７８に入力される。本実施形態では、バラスト回路３７２、３７８は、互いの電流方向を伝達するために接続されている。
（ランプ駆動部の動作）
以上のように構成された光源部３１０の動作について、図１０を用いて説明する。図１０は、ＡＣ放電ランプ３１２の２つの電極３１８、３２０の内、電流が負方向に流れるときの陽極側の電極（例えば、電極３１８）が大きく摩耗しており、ＡＣ放電ランプ３２２の２つの電極３２８、３３０は均一に摩耗している場合の、ＡＣ放電ランプ３１２、３２２への印加電流と光センサ３７４の出力信号との関係を示す模式図である。
【００３９】
図１０に示すように、光センサ３７４の出力信号は、ＡＣ放電ランプ３２２の極性反転には追従せず、ＡＣ放電ランプ３１２に印加される電流が、負方向のときよりも正方向のときの方が、光センサ３７４の出力信号が大きくなっている。このように、２つのＡＣ放電ランプ３１２、３２２の極性反転のタイミングをずらすことにより、電極３１８、３２０および電極３２８、３３０のうち、どの電極が摩耗しているか推定することができる。
【００４０】
バラスト回路３７２、３７８は、互いに接続されているので、互いの印加電流と光センサ３７４の出力信号との関係から、摩耗していると推定された電極の摩耗状態が他の電極と均一化されるように、ＡＣ放電ランプ３１２、３２２へ印加する電流の波形を調整する。
（作用・効果）
以上のように、本実施形態では、複数のＡＣ放電ランプ３１２、３２２と、それぞれのＡＣ放電ランプ３１２、３２２を駆動する複数のバラスト回路３７２、３７８とを備えている。そして、複数のバラスト回路３７２、３７８は、光センサ３７４からの検出結果に基づいて、それぞれのＡＣ放電ランプ３１２、３２２を駆動すると共に、互いの駆動状態を伝達するために接続されている。したがって、互いの駆動状態と光センサ３７４からの検出結果に基づいて、複数のＡＣ放電ランプ３１２、３２２のうちの、どの電極が摩耗しているかを推定することができる。
【００４１】
これにより、光源部３１０が複数のＡＣ放電ランプ３１２、３２２を有する場合でも、それぞれの電極３１８、３２０、３２８、３３０がほぼ均一に摩耗するので、一つの電極のみが早く摩耗してしまうことを抑制することができる。
〔その他の実施形態〕
以上のように、本開示における実装の例示として、第１実施形態〜第３実施形態について説明した。しかしながら、本開示は、これに限定されず、適宜、変更、置き換え、付加、省略などを行った実施の形態にも適用可能である。また、上述の第１実施形態〜第３実施形態で説明した各構成要素を組み合わせて、新たな実施形態とすることも可能である。
【００４２】
上述の実施形態では、映像生成部２０は、３枚のＤＭＤによる構成で説明したが、これに限定されるものではなく、１枚のＤＭＤによる構成や、表示素子として透過型および反射型の液晶表示素子を用いる構成でも実施することができる。
【００４３】
上述の実施形態では、ロッド５２からの出射光の強度を測定する方法の一例として、ハーフミラーを用いて説明したが、これに限定されるものではなく、ロッド５２からの出射光に比例する光を検出できればよい。したがって、ミラー５６の裏面からの漏れ光を用いてもよく、これによれば、光の損失をより低減できる。
【００４４】
以上のように、添付図面および詳細な説明によって、ベストモードと考える実施の形態と他の実施の形態と、を提供した。これらは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００４５】
本開示は、ＡＣ放電ランプを駆動する装置に適用可能である。具体的には、プロジェクタの光源などに、本開示は適用可能である。
【符号の説明】
【００４６】
１０、１１０、２１０、３１０  光源部
２０  映像生成部
２２  レンズ
２４  全反射プリズム
２６  空気層
２８  カラープリズム
３０、３２  ダイクロイック膜
３４、３６、３８  ＤＭＤ
５０  導光光学系
５２  ロッド
５４  レンズ
５６  ミラー
６０  投写光学系
７０  制御部
１００  投写型映像表示装置
１１２、２１２、３１２、３２２  ＡＣ放電ランプ
１１４、２１４、３１４、３２４  放電管
１１６、２１６、３１６、３２６  リフレクタ
１１８、１２０、２１８、２２０、３１８、３２０、３２８、３３０  電極
１１８Ａ、１２０Ａ、２１８Ａ、２２０Ａ、３１８Ａ、３２０Ａ、３２８Ａ、３３０Ａ  アークスポット
１５０、２５０、３５０  ハーフミラー
１７２、２７２、３７２、３７８  バラスト回路
１７４、２７４、３７４  光センサ
２７６  メモリ
３５２  光合成プリズム
５００  スクリーン
【図１】
2015053155.tif 000003
【図２】
2015053155.tif 000004
【図３】
2015053155.tif 000005
【図４】
2015053155.tif 000006
【図５】
2015053155.tif 000007
【図６】
2015053155.tif 000008
【図７】
2015053155.tif 000009
【図８】
2015053155.tif 000010
【図９】
2015053155.tif 000011
【図１０】
2015053155.tif 000012